【手続補正書】
【提出日】平成15年6月4日(2003.6.4)
【手続補正１】
【補正対象書類名】明細書
【補正対象項目名】特許請求の範囲
【補正方法】変更
【補正の内容】
【特許請求の範囲】
【請求項１】
患者の咀嚼系における上側の歯と下側の歯とのセットの間のフィットを規定するための方法であって、該方法は、
該患者の該咀嚼系のコンピューター表示を作製する工程；
１つ以上のキーを用いて、該咀嚼系の該コンピューター表示から咬合位を決定する工程；および
該咬合位に基づいて複数の器具を作製する工程であって、該器具は、該器具は、腔を有するポリマー外殻を備え、そして連続する外殻の腔が、該歯を受け入れるような形状にされた異なるジオメトリーを有し、そしてある配置から連続する配置へと弾力的に該歯を再配置する、工程、
を包含する、方法。
【請求項２】
前記キーのうちの１つが、臼歯の関係に基づく、請求項１に記載の方法。
【請求項３】
第１永久臼歯を第２永久臼歯と咬合させる工程をさらに包含する、請求項２に記載の方法。
【請求項４】
請求項３に記載の方法であって、前記第１永久臼歯は、遠心面を有する遠心面頬面咬頭を有し、前記第２永久臼歯は、近心面を有する近心面頬面咬頭を有し、ここで該遠心面は該近心面と咬合する、方法。
【請求項５】
請求項４に記載の方法であって、前記近心面頬面咬頭が、前記第１永久臼歯の近心咬頭と中心咬頭との間の溝で咬合する、方法。
【請求項６】
前記近心面が、前記遠心面に近く接近する、請求項３に記載の方法。
【請求項７】
請求項２に記載の方法であって、前記歯が、犬歯および小臼歯を含み、ここで該犬歯および小臼歯が、頬側に咬頭−鼓形空隙関係を有し、舌側に咬頭−窩関係を有する、方法。
【請求項８】
前記キーのうちの１つが、歯冠の角形成に基づく、請求項１に記載の方法。
【請求項９】
請求項８に記載の方法であって、前記歯冠が歯冠遠心先端を有し、該方法が、該歯冠の歯肉部分の遠心傾斜を決定する工程をさらに包含する、方法。
【請求項１０】
前記遠位傾斜が、一定である、請求項９に記載の方法。
【請求項１１】
前記遠心傾斜が、各歯型内で一定である、請求項９に記載の方法。
【請求項１２】
請求項９に記載の方法であって、前記角形成が、臨床歯冠の顔面軸（ＦＡＣＣ）と咬合平面に対して垂直な線との間で決定される、方法。
【請求項１３】
前記角形成が最小化される、請求項１２に記載の方法。
【請求項１４】
前記角形成が、正である、請求項８に記載の方法。
【請求項１５】
前記角形成が、負である、請求項８に記載の方法。
【請求項１６】
前記キーのうちの１つが、歯冠傾斜に基づく、請求項１に記載の方法。
【請求項１７】
前記歯冠傾斜が、咬合平面に対して垂直な線および前記ＦＡＣＣにより形成される角度を提示する、請求項１６に記載の方法。
【請求項１８】
前記歯冠傾斜が、上の犬歯から上の第２小臼歯にかけて測定される場合に、負である、請求項１６に記載の方法。
【請求項１９】
前記歯冠傾斜が、下の犬歯から下の第２臼歯にかけて測定される場合に、漸次的にさらに負になる、請求項１６に記載の方法。
【請求項２０】
前記歯冠傾斜が、前記臨床歯冠の顔面軸（ＦＡＣＣ）に対して平行でありかつ該ＦＡＣＣの中点で該ＦＡＣＣと接する線と、咬合平面に対して垂直な線との間にある、請求項１６に記載の方法。
【請求項２１】
前記キーのうちの１つが、歯の回転に基づく、請求項１に記載の方法。
【請求項２２】
前記歯が、所望しない回転を有さない、請求項２１に記載の方法。
【請求項２３】
前記キーのうちの１つが、歯の接触点に基づく、請求項１に記載の方法。
【請求項２４】
前記接触点が、密である、請求項２３に記載の方法。
【請求項２５】
接触点の間に空間が存在しない、請求項２３に記載の方法。
【請求項２６】
前記キーのうちの１つが、咬合平面に基づく、請求項１に記載の方法。
【請求項２７】
前記面が、平坦からシュペー弯曲までの間の範囲にある、請求項２６に記載の方法。
【請求項２８】
前記面が、平坦である、請求項２７に記載の方法。
【請求項２９】
前記面が、シュペー弯曲に従う、請求項２７に記載の方法。
【請求項３０】
前記シュペー弯曲が、強い、請求項２９に記載の方法。
【請求項３１】
前記シュペー弯曲が、わずかである、請求項２９に記載の方法。
【請求項３２】
前記シュペー弯曲が、逆向きである、請求項２９に記載の方法。
【請求項３３】
請求項１に記載の方法であって、前記キーのうちの１つが、臼歯の関係、歯冠の角形成、歯冠傾斜、歯の回転、歯の接触点、および咬合平面からなる群より選択される、方法。
【請求項３４】
最終的な歯の配置を最適化する工程をさらに包含する、請求項１に記載の方法。
【請求項３５】
請求項３４に記載の方法であって、該方法は、以下：
前記歯と関連する１つ以上の特徴を同定する工程；および
該同定された特徴に基づいて該歯のモデルを作製する工程、
をさらに包含する、方法。
【請求項３６】
前記特徴の少なくとも１つが自動的に同定される、請求項３５に記載の方法。
【請求項３７】
前記特徴の少なくとも１つがユーザーにより同定される、請求項３６に記載の方法。
【請求項３８】
理想的な歯のモデルセットが、患者の歯の模型から導かれる、請求項３５に記載の方法。
【請求項３９】
理想的な歯のモデルセットが、良好な咬合を有する患者から導かれる、請求項３５に記載の方法。
【請求項４０】
前記コンピューター表示が、理想的な歯のモデルセットである、請求項１に記載の方法。
【請求項４１】
前記決定された咬合に関連した進行状況報告を作成する工程をさらに包含する、請求項１に記載の方法。
【請求項４２】
前記作成された報告をネットワーク上でブラウザする工程をさらに包含する、請求項４１に記載の方法。
【請求項４３】
前記ネットワークが、ワイドエリアネットワークである、請求項４２に記載の方法。
【請求項４４】
前記ワイドエリアネットワークが、インターネットである、請求項４３に記載の方法。
【請求項４５】
前記ネットワークが、ローカルエリアネットワークである、請求項４２に記載の方法。
【請求項４６】
前記進行状況報告が、患者により見られる、請求項４１に記載の方法。
【請求項４７】
前記進行状況報告が、医師により見られる、請求項４１に記載の方法。
【請求項４８】
前記ユーザーが、前記咀嚼系のコンピューター表示を操作する、請求項１に記載の方法。
【請求項４９】
前記ユーザーが、患者である、請求項４８に記載の方法。
【請求項５０】
前記ユーザーが、医師である、請求項４９に記載の方法。
【請求項５１】
請求項１に記載の方法であって、該方法は、以下：
前記歯のモデルを作製する工程；および
処方箋に従うことによって、該モデルにおける歯の位置を調節する工程、
を包含する、方法。
【請求項５２】
前記モデルが、理想化された歯の配置の理論的モデルに基づいている、請求項５１に記載の方法。
【請求項５３】
前記理論的モデルが、１つ以上の歯列弓形により特定される、請求項５２に記載の方法。
【請求項５４】
前記理想的モデルが、前記歯に関連する１つ以上の特性を用いて特定され得る、請求項５２に記載の方法。
【請求項５５】
前記歯の位置が、患者の歯に応じてカスタマイズされる、請求項５１に記載の方法。
【請求項５６】
請求項１に記載の方法であって、該方法は、以下：
視覚的外観を有する前記歯のモデルを作製する工程；および
該モデルの視覚的外観が満足のいくものになるまで、該モデルにおける歯の位置を調節する工程、
をさらに包含する、方法。
【請求項５７】
前記モデルが、理想化された歯の配置の理論的モデルに基づいている、請求項５６に記載の方法。
【請求項５８】
患者の咀嚼系における上側および下側の歯のセットの間のフィットを規定するためのコンピューター実行可能な装置であって、該装置は、プログラム可能なプロセッサに、
該患者の該咀嚼系のコンピューター表示を作製させるように；
１つ以上のキーを用いて、該咀嚼系の該コンピューター表示から咬合位を決定させるように；および
該咬合位に基づいて複数の器具を作製させるように、
操作可能な指示を含み、
ここで、該器具は、腔を有するポリマー外殻を備え、そして連続する外殻の腔が、歯を受け入れるような形状にされた異なるジオメトリーを有し、そしてある配置から連続する配置へと該歯を弾力的に再配置する、
装置。
【請求項５９】
前記キーのうちの１つが、臼歯の関係に基づく、請求項５８に記載の装置。
【請求項６０】
第１永久臼歯と第２永久臼歯との咬合をモデル化するための指示をさらに含む、請求項５９に記載の装置。
【請求項６１】
請求項６０に記載の装置であって、前記第１永久臼歯は、遠心面を有する遠心面頬面咬頭を有し、前記第２永久臼歯は、近心面を有する近心面頬面咬頭を有し、ここで該遠心面は該近心面と咬合する、装置。
【請求項６２】
請求項６１に記載の装置であって、前記近心面頬面咬頭が、前記第１永久臼歯の近心咬頭と中心咬頭との間の溝で咬合する、装置。
【請求項６３】
前記近心面が、前記遠心面に近く接近する、請求項６０に記載の装置。
【請求項６４】
請求項５９に記載の装置であって、前記歯が、犬歯および小臼歯を含み、ここで該犬歯および小臼歯が、頬側に咬頭−鼓形空隙関係を有し、舌側に咬頭−窩関係を有する、装置。
【請求項６５】
前記キーのうちの１つが、歯冠の角形成に基づく、請求項５８に記載の方法。
【請求項６６】
請求項６５に記載の装置であって、前記歯冠が歯冠遠心先端を有し、該装置が、該歯冠の歯肉部分の遠心傾斜を決定するための指示をさらに含む、装置。
【請求項６７】
前記遠位傾斜が、一定である、請求項６６に記載の装置。
【請求項６８】
前記遠心傾斜が、各歯型内で一定である、請求項６６に記載の装置。
【請求項６９】
請求項６６に記載の装置であって、前記角形成が、臨床歯冠の顔面軸（ＦＡＣＣ）と咬合平面に対して垂直な線との間で決定される、装置。
【請求項７０】
前記角形成が最小化される、請求項６９に記載の装置。
【請求項７１】
前記角形成が、正である、請求項６６に記載の装置。
【請求項７２】
前記角形成が、負である、請求項６６に記載の装置。
【請求項７３】
前記歯冠傾斜が、咬合平面に対して垂直な線とブラケット部位に接する線とにより形成される角度を示す、請求項７２に記載の装置。
【請求項７４】
前記キーのうちの１つが、歯冠傾斜に基づく、請求項５８に記載の装置。
【請求項７５】
前記歯冠傾斜が、上の犬歯から上の第２小臼歯にかけて測定される場合に、負である、請求項７４に記載の装置。
【請求項７６】
前記歯冠傾斜が、下の犬歯から下の第２臼歯にかけて測定される場合に、漸次的にさらに負になる、請求項７４に記載の装置。
【請求項７７】
前記歯冠傾斜が、前記臨床歯冠の顔面軸（ＦＡＣＣ）に対して平行でありかつ該ＦＡＣＣの中点で該ＦＡＣＣと接する線と、咬合平面に対して垂直な線との間にある、請求項７４に記載の装置。
【請求項７８】
前記キーのうちの１つが、歯の回転に基づく、請求項５８に記載の装置。
【請求項７９】
前記歯が、所望しない回転を有さない、請求項７８に記載の装置。
【請求項８０】
前記キーのうちの１つが、歯の接触点に基づく、請求項５８に記載の装置。
【請求項８１】
前記接触点が、密である、請求項８０に記載の装置。
【請求項８２】
接触点の間に空間が存在しない、請求項８０に記載の装置。
【請求項８３】
前記キーのうちの１つが、咬合平面に基づく、請求項５８に記載の装置。
【請求項８４】
前記面が、平坦からシュペー弯曲までの間の範囲にある、請求項８３に記載の装置。
【請求項８５】
前記面が、平坦である、請求項８４に記載の装置。
【請求項８６】
前記面が、シュペー弯曲に従う、請求項８４に記載の装置。
【請求項８７】
前記シュペー弯曲が、強い、請求項８４に記載の装置。
【請求項８８】
前記シュペー弯曲がわずかである、請求項８６に記載の装置。
【請求項８９】
前記シュペー弯曲が、逆向きである、請求８６に記載の装置。
【請求項９０】
請求項５８に記載の方法であって、前記キーのうちの１つが、臼歯の関係、歯冠の角形成、歯冠傾斜、歯の回転、歯の接触点、および咬合平面からなる群より選択される、装置。
【請求項９１】
患者の咀嚼系における上側の歯と下側の歯とのセットの間のフィットを規定するためのシステムであって、該システムが、以下：
プロセッサ；
該プロセッサに連結されたディスプレイデバイス；および
該プロセッサに連結されたデータ格納デバイス、
を備え、該データ格納デバイスが、該プロセッサに、
該患者の該咀嚼系のコンピューター表示を作製させるように；
１つ以上のキーを用いて、該咀嚼系の該コンピューター表示から咬合位を決定させるように；および
該咬合位に基づいて複数の器具を作製させるように、
操作可能な指示を格納し、
ここで、該器具は、腔を有するポリマー外殻を備え、そして連続する外殻の腔が、該歯を受け入れるような形状にされた異なるジオメトリーを有し、そしてある配置から連続する配置へと該歯を弾力的に再配置する、
システム。
【請求項９２】
請求項９１に記載のシステムであって、前記キーのうちの１つが、臼歯の関係、歯冠の角形成、歯冠傾斜、歯の回転、歯の接触点、および咬合平面からなる群より選択される、システム。
【請求項９３】
前記キーのうちの１つが、臼歯の関係に基づく、請求項９１に記載のシステム。
【請求項９４】
前記キーのうちの１つが、歯冠の角形成に基づく、請求項９１に記載システム。
【請求項９５】
前記キーのうちの１つが、歯冠傾斜に基づく、請求項９１に記載のシステム。
【請求項９６】
前記キーのうちの１つが、歯の回転に基づく、請求項９１に記載のシステム。
【請求項９７】
前記キーのうちの１つが、歯の接触点に基づく、請求項９１に記載のシステム。
【請求項９８】
前記キーのうちの１つが、咬合平面に基づく、請求項９１に記載のシステム。
【請求項９９】
前記咬合位に関連した進行状況報告を作成することをさらに含む、請求項９１に記載のシステム。
【請求項１００】
前記作成された報告をインターネット上でブラウザすることをさらに含む、請求項９９に記載のシステム。
【請求項１０１】
前記データ格納デバイスが、前記プロセッサに、前記歯の最終位置の理想的な基礎モデルを同定させるように操作可能な指示を格納する、請求項９１に記載のシステム。
【請求項１０２】
前記理想的な基礎モデルが、歯列弓形を含む、請求項１０１に記載のシステム。
【請求項１０３】
各歯上にマーカーを配置する指示をさらに含む、請求項１０１に記載のシステム。
【請求項１０４】
前記マーカーが、歯列弓形が該マーカーを通過するように方向付けられる、請求項１０３に記載のシステム。
【請求項１０５】
前記歯の位置および方向を調節する指示をさらに含む、請求項１０４に記載のシステム。
【請求項１０６】
前記歯列弓形が所定の偏差以内で前記マーカーを通過するように、前記歯の位置および方向を設定する指示をさらに含む、請求項１０５に記載のシステム。
【請求項１０７】
前記指示により、前記システムのユーザーが前記マーカーを配置し得る、請求項１０３に記載のシステム。
【請求項１０８】
前記指示が、前記マーカーを自動的に配置する、請求項１０３に記載のシステム。